(57)【要約】 【課題】  移動用の補助レールを用いることなく装飾体を近似直線運動により移動させることができる遊技機の可動装飾装置を提供する。【解決手段】移動機構を、二つのモータ２、２と、この二つのモータ２、２によりそれぞれ回動される一対の移動用レバー３ａ、３ｂと、装飾体５の裏側に配設されて移動用レバー３ａ、３ｂによりそれぞれ回動される一対の中間レバー４ａ、４ｂとからなるものとしたうえに、一対の中間レバー４ａ、４ｂを、揺動防止用の連結ロッド６で接続した。一方の中間レバー４ｂを、力点側アーム４２と作用点側アーム４３とが支点４１を中心に９０°超の角度で異なる方向に延出されたものとし、他方の中間レバー４ｂを、力点側アーム４２と作用点側アーム４３とが支点を中心に９０°未満の角度で異なる方向に延出されたものとした。【選択図】  図１
2010240043.tif 000002
【特許請求の範囲】
【請求項１】
駆動源の駆動により移動機構を介して往復移動される装飾体を備えた遊技機の可動装飾装置において、前記移動機構は、駆動源と、この駆動源によりそれぞれ回動される一対の移動用レバーと、装飾体の裏側に配設されて移動用レバーによりそれぞれ回動される一対の中間レバーとを備え、一対の中間レバーを、揺動防止用の連結ロッドで接続して、装飾体を近似直線運動により往復移動させるようにしたことを特徴とする遊技機の可動装飾装置。
【請求項２】
一方の中間レバーを、力点側アームと作用点側アームとが支点を中心に９０°を超えて異なる方向に延出されたものとし、他方の中間レバーを、力点側アームと作用点側アームとが支点を中心に９０°未満で異なる方向に延出されたものとして、力点側アームの先端を移動用レバーに接続するとともに、二つの力点側アームの先端を前記連結ロッドで接続して、装飾体の揺動を制止した請求項１に記載の遊技機の可動装飾装置。
【請求項３】
二つの駆動源を備え、制御手段によりこれらの駆動源を同期して回転させることを特徴とする請求項１又は２に記載の遊技機の可動装飾装置。
【発明の詳細な説明】
【技術分野】
【０００１】
本発明は、遊技機に設けられて遊技の状態に応じた演出を行うための、遊技機の可動装飾装置に関するものである。
【背景技術】
【０００２】
パチンコ機やスロットマシン等の遊技機には、遊技領域の略中央に変動図柄表示装置が設けられており、興趣を高めるために前記図柄表示装置の表示画面に表示される図柄によってリーチ等の図柄に応じた演出を行っている。また、例えば特許文献１には、装飾部材を作動させることによって遊技の状態に応じた演出を行うことができる可動装飾装置を備えることによって、さらに興趣を高めるようにしたものが開示されている。
【０００３】
上記開示に係るものにおいては、装飾体の両側にそれぞれアームの一端が軸支されており、それぞれのアームを他端を中心として回動させることで、装飾体を上下に移動させている。ここで、アームの一端の軌跡は円弧であり、且つ、装飾体は両側からアームで支えられているので、二つのアームの一端間の距離は変化する。よって、装飾体を上下動させるためには、アームの一端が左右方向に移動可能に装飾体に取り付けられていなくてはならない。そのために、アームの一端にはピンを、装飾体にはピンよりも大きな横長の長穴を備えて両者の間に遊びを設けている。
しかしながら、装飾体のＬＥＤのための配線が左右どちらか片方のアームに装着されていたり、組み付け時のねじの締め付けトルクなどに差があったりすることで、左右の各回動部がまったく同じ抵抗を受けていることはない。そのため、上下動の途中で装飾体ががたついて左右に大きく揺れ動いてしまい遊技の興趣を削ぐことがあった。
【０００４】
上下動の途中における装飾体の左右の揺れを防止するために、特許文献２に記載の発明においては、装飾体の中央付近に摺動板を設けて、この摺動板を取り付けベースに設けた一対の縦型レール間を上下方向にスライドさせている、しかしながら縦型レールや摺動板を用いたものは、構造が複雑で製作コストがかかるうえに装飾体の装飾の自由度を奪うものであった。また、縦型レールや摺動板は装飾性に乏しく、効果的な演出を行ううえで邪魔になるものであった。
【先行技術文献】
【特許文献】
【０００５】
【特許文献１】特開２００９−０００３０６号公報
【特許文献２】特開２００８−２４５９４１号公報
【発明の概要】
【発明が解決しようとする課題】
【０００６】
本発明は、上記した従来の問題点に鑑み、移動用の縦型レールを用いることなく装飾体を垂直方向に移動可能な遊技機の可動装飾装置を提供することを課題とする。
【課題を解決するための手段】
【０００７】
上記の課題を解決するためになされた本発明に係る遊技機の可動装飾装置は、駆動源の駆動により移動機構を介して移動される装飾体を備えた遊技機の可動装飾装置において、前記移動機構は、駆動源と、この駆動源によりそれぞれ回動される一対の移動用レバーと、装飾体の裏側に配設されて移動用レバーによりそれぞれ回動される一対の中間レバーとを備え、一対の中間レバーを、揺動防止用の連結ロッドで接続したことを特徴とするものである。
【０００８】
上記した発明において、一方の中間レバーを、力点側アームと作用点側アームとが支点を中心に９０°を超えて異なる方向に延出されたものとし、他方の中間レバーを、力点側アームと作用点側アームとが支点を中心に９０°未満で異なる方向に延出されたものとして、力点側アームの先端を移動用レバーに接続するとともに、二つの力点側アームの先端を前記連結ロッドで接続して、装飾体の揺動を防止することができる。
【０００９】
また、二つの駆動源を備え、制御手段によりこれらの駆動源を同期して回転させることによって装飾体が近似直線運動されるようにすることができる。
【発明の効果】
【００１０】
請求項１に係る発明は、連結ロッドが左右二つの中間レバーの自由な回動を規制するので、装飾体を揺動させることなく近似直線運動により移動させることができる。
請求項２に係る発明は、突出方向の異なる作用点側アームを連結ロッドで接続したので、装飾体の揺動を制止することができる。
請求項３に係る発明は、二つの駆動源が同期して作動して移動用レバー先端を回動させるので、バランス用レバーの先端を回動させて、装飾体を直線的に移動させることができる。
【図面の簡単な説明】
【００１１】
【図１】センターケース上部に配設された可動装飾装置の正面図である。
【図２】図１の可動装飾装置のＡ−Ａ線断面図である。
【図３】モータと移動用アームの係合状態を示す正面図（ａ）、平面図（ｂ）、側面図（ｃ）である。
【図４】装飾体が降下途中である可動装飾装置の正面図である。
【図５】装飾体が降下された状態の可動装飾装置の正面図である。
【図６】支点の好ましい位置を説明する概念図である。
【発明を実施するための形態】
【００１２】
以下に、本発明の実施形態に付いて説明する。
図１、２は、遊技機の変動図柄表示装置の周囲を覆うセンターケース１の上部に配設された可動装飾装置を示す図である。可動装飾装置は、駆動源としてのモータ２（ステッピングモータ）と、移動用レバー３と、中間レバー４と、連結ロッド６、装飾体５とを備える。図１の状態においては、装飾体５は上昇されていて、センターケース１の上部に収納されている。モータ２は、装飾体５の左右の取り付けベース１１に螺着されて配設されている。なお、装飾体５は、ＬＥＤ基板５１とバックプレート５２とを備えている。
【００１３】
可動装飾装置の移動機構を図１により説明する。移動機構は、二つのモータ２と、二つのモータ２によりそれぞれ回動される一対の移動用レバー３ａ、３ｂと、装飾体５の左右に軸着された一対の中間レバー４ａ、４ｂと、連結ロッド６とからなり、移動用レバー３ａ、３ｂは左右対称に配設されている。
【００１４】
移動用レバー３ａ、３ｂはＬ字形に形成されていて、センターケース１に設けた支軸３１に軸着されている。Ｌ字形の一方の短尺アーム３２はモータ２により回動される。短尺アーム３２の回動により、短尺アーム３２と直交する方向に延出された長尺アーム３３も共に回動される。移動用レバー３の形状はＬ字形に限定されるものではなく、長尺アーム３３の先端が支軸３１を中心として回動できるものであればよい。なお、長尺アーム３３には、長尺アーム３３を上方に付勢する弾性体としてのバネ７が取り付けられている。
【００１５】
次に中間レバー４について説明する。図中左側の中間レバー４ｂは支点４１から一方の方向に力点側アーム４２が延出され、この力点側アーム４２から９０°を超えて異なる方向に作用点側アーム４３が延設されている。力点側アーム４２が左に動いたときには作用点側アーム４３が右に動き、力点側アーム４２が右に動いたときには作用点側アーム４３が左に動くという、動きが逆方向になる関係にするためである。そして、力点側アーム４２の先端には、移動用レバー３ｂの先端が軸着されている。
【００１６】
また、右側の中間レバー４ｂは支点４５から一方の方向に力点側アーム４６が延出され、この力点側アーム４６から９０°未満の範囲内の異なる方向に作用点側アーム４７が延設されている。力点側アーム４６の先端には、右側の移動用レバー３ａの先端が軸着されている。力点側アーム４６が左に動いたときには作用点側アーム４７も左に動くという、動きが同一方向になる関係にするためである。力点側アーム４６の先端には、右側の移動用レバー３ａの先端が軸着されている。そして、二つの作用点側アーム４３，４７の先端は、連結ロッド６により接続されている。
【００１７】
移動用レバー３の長尺アーム３３に対する中間レバー４の支点４１の好ましい位置関係を、長尺アーム３３の先端が下方に回動する場合を例に図６により説明する。図６において、長尺アーム３３の先端は、支軸３１を中心に、Ｓ１点からＲ点を通ってＳ２点まで円弧を描いて降下する。長尺アーム３３の先端は水平方向には図中ＲＳ３間の距離分移動する。中間レバー４の力点側アーム４６も長尺アーム３３の降下とともに降下するが、長尺アーム３３の先端に軸着された力点側アーム４６は、ＲＳ３の水平移動距離を吸収するため支点４１を中心に回動する必要がある。よって、支点４１がＲＳ３の中間のＴ点を通ってＲＳ３線に直交する直線ＴＴ１の上にある場合には、力点側アーム４６の先端は左右に同じ距離揺動して、長尺アーム３３の円弧運動による位置ズレを吸収することができる。したがって、支点４１を、ＴＴ１上に位置するように設けることが必要となる。
【００１８】
モータ２と移動用レバー３との係合状態を、図３により説明する。モータ２の軸２１には、軸２１に偏心してクランクピン２２が装着されている。移動用レバー３の短尺アーム３２の端部には凹陥部３５が設けられており、この凹陥部３５にクランクピン２２の先端が遊嵌されていて、クランクピン２２は短尺アーム３２を回動することができる。モータ２の軸２１の近傍には、クランクピン２２の位置検出センサー２３が配置されており、クランクピン２２には、位置検出用の突片２４が設けられている。突片２４がセンサー２３の発する光を遮断等することによってクランクピン２２の初期位置が検出される。
【００１９】
以上のように構成されたものにおいて、大当たりなどの特別遊技状態になった場合には、図１の状態において右側のモータ２が駆動されて右側の短尺アーム３２が反時計回りに回動される。これによって右側の長尺アーム３３も反時計回りに回動されて、その先端が下方に降下される。他方、左側の短尺アーム３２は時計回りに回動されて長尺アーム３３の先端が下方に降下されるので装飾体５は、図４に示す中間位置を経由して、図５に示す最降下位置にまで下げられることになる。同時に、右側のバランス用レバー４も反時計回りに回動されつつ下方に降下することとなる。
【００２０】
このとき、長尺アーム３３、３３は円弧を描いて回動されるので、左右の中間レバー４ａ、４ｂが自由な状態では、装飾体５は、力点側アーム４２、４６を介して移動用レバー３ａ、３ｂの先端にぶら下がっているだけであるので、装飾体５は左右に揺動可能である。しかし、本願発明においては、一方の作用点側アーム４７を力点側アーム４６に近接して設け、他方の作用点側アーム４３を力点側アーム４２を支点４１の略反対側に突設したので、二つのモータ２を同期駆動させて二つの力点側アーム４２、４６が左右対称となるように逆回転させたときには、二つの作用点側アーム４３、４７を同一方向に回動させることができる。よってこれら作用点側アーム４３、４７の先端を連結ロッド６で接続すれば、装飾体５の揺動は連結ロッド６により制止されるので、装飾体５を揺動させることなく昇降させることができる。よって装飾体５を左右の枢軸４１を結んだ直線とは垂直になる直線Ｐに沿って下方に一線上を降下させることができる。
【００２１】
降下完了後、今度は左右のモータ２、２が逆回りに回動されることで、右側の移動用レバー３ａ、中間レバー４ａは時計回りに、左側の移動用レバー３ｂ、中間レバー４は反時計回りに回動される。よって、装飾体５は、図４に示す途中の位置を経由して、図５の初期位置にまで復帰されることになる。以上のような作動が繰り返されて装飾体５は直線Ｐに沿って近似直線運動により往復移動されることになる。
【００２２】
以上は装飾体が上下に昇降する例について説明したが、本発明において、可動装飾装置を横向きや斜め下向きに取り付けて、装飾体を左右の横方向や斜めの上下方向に移動させることができる。
なお、本発明の実施形態では、駆動源である二つのモータ２を、図示していない制御手段によって同期して回転させることで一対の移動用レバー３も同期して作動させているが、モータ２を一つにし、その駆動を機械的にそれぞれの移動用レバー３に伝達することで、これらの移動用レバー３も同期して作動させることができる。
【符号の説明】
【００２３】
２  モータ、３ａ、３ｂ  移動用レバー、４ａ、４ｂ  中間レバー、５  装飾体、６  連結ロッド、４２、４６  力点側アーム、４３、４７  作用点側アーム、
【図１】
2010240043.tif 000003
【図２】
2010240043.tif 000004
【図３】
2010240043.tif 000005
【図４】
2010240043.tif 000006
【図５】
2010240043.tif 000007
【図６】
2010240043.tif 000008